(57)【特許請求の範囲】
【請求項１】
着用時に下縁がバージスラインに沿うように形成された左右一対のカップ部と、
左右一対の肩ストラップと、
前記カップ部に連結する土台部と、
前記土台部の脇側に連結し、背部に延びる左右一対のバック部と、
前記土台部の前中心に連結すると共に、着用時に前記肩ストラップにより上方に引き上げられる左右一対のホルダーと、を備え、
左右の前記カップ部は、前中心でそれぞれ接しており、
左右の前記ホルダーは、前中心で下方に切り込まれるようにそれぞれ連結しており、
前記ホルダーは、着用時における前記バージスラインからバストトップ近傍に至る部分に対応する領域に、肌側に前記カップ部を位置させて設けられ、
前記カップ部において、着用時にバストボリュームを上方内側に押し上げるように、前記バストトップの脇側下部に対応する部分の肌側が前中心側及び脇側の肌側よりも厚くなるように形成されていることを特徴とするカップ付き女性用衣類。
【請求項２】
前記カップ部は、ノンワイヤ型であることを特徴とする請求項１記載のカップ付き女性用衣類。
【請求項３】
前記土台部の脇側には、前記土台部の緊締力よりも強い緊締力を有する緊締部が設けられていることを特徴とする請求項１又は２記載のカップ付き女性用衣類。
【請求項４】
前記土台部の脇側には、着用状態において、上下方向に延びる支持部材が設けられていることを特徴とする請求項１〜３の何れか一項記載のカップ付き女性用衣類。
【発明の詳細な説明】
【技術分野】
【０００１】
本発明は、ブラジャー等のカップ付き女性用衣類に関する。
【背景技術】
【０００２】
例えばブラジャーなどのカップ付き女性用衣類は、バストを包み保護する機能だけでなく、バストの形状を保持、造形する機能をも有することが期待されている。例えば、特許文献１には、バストを収納するカップと、カップに接続されて背中側に位置する背部ベルトと、背部ベルトとカップとに接続される肩紐と、を備えたブラジャーが記載されている。このブラジャーは、肩紐がカップの下側及び側部に沿って縫い込まれている前面側肩紐を有し、これにより、バストを寄せて持ち上げることが図られている。
【特許文献１】特開平９−９５８０６号公報
【発明の開示】
【発明が解決しようとする課題】
【０００３】
ところで、近年では、バスト間の谷間を感じることができるバスト造形が好まれており、特にバストボリュームが上胸に集まりつつ、胸骨の中点付近に深くて大きな谷間が形成されるものが望まれている。しかしながら、上記従来技術においては、例えば２０代前半のかたくてハリがあるバストの形状や、左右が互いに離隔しているバストの形状を造形する場合、バストボリュームの移動が乏しくなり、深くて大きな谷間が上胸に形成されるまでには至らない場合があった。
【０００４】
そこで、本発明は、バストボリュームを確実に移動させることにより、上胸に豊かなバストボリューム感を有しつつ深くて大きな谷間を形成することができるカップ付き女性用衣類を提供することを課題とする。
【課題を解決するための手段】
【０００５】
本発明者らは、鋭意検討を重ねた結果、バストボリュームを上胸に移動させるためには、上記従来技術のようにバストが引き上げられた状態におけるバストの下のラインであるバージスラインを押し上げるのではなく、バストトップ直近を押し上げることが最も効果的であることを見出した。よって、上胸に谷間を形成する場合には、バストトップの脇側下部に力を加えることが有効である。本発明は、このような事実に基づいてなされたものである。
【０００６】
即ち、本発明に係るカップ付き女性用衣類は、着用時に下縁がバージスラインに沿うように形成された左右一対のカップ部と、左右一対の肩ストラップと、カップ部に連結する土台部と、土台部の脇側に連結し、背部に延びる左右一対のバック部と、土台部の前中心に連結すると共に、着用時に肩ストラップにより上方に引き上げられる左右一対のホルダーと、を備え、左右のカップ部は、前中心でそれぞれ接しており、左右のホルダーは、前中心で下方に切り込まれるようにそれぞれ連結しており、ホルダーは、着用時におけるバージスラインからバストトップ近傍に至る部分に対応する領域に、肌側にカップ部を位置させて設けられ、カップ部において、着用時にバストボリュームを上方内側に押し上げるように、バストトップの脇側下部に対応する部分の肌側が前中心側及び脇側の肌側よりも厚くなるように形成されていることを特徴とする。
【０００７】
この本発明のカップ付き女性用衣類では、カップ部におけるバストトップの下方脇側に対応する部分が、カップ部における他の部分よりも厚く形成されている。そのため、着用状態において、バストトップの脇側下部を強く押さえてバストボリュームを上方内側に効果的に押し上げることが可能となる。加えて、ホルダーは、バージスラインからバストトップ近傍に至る部分に対応する領域に、肌側にカップ部を位置させて、すなわちカップ部を表側から覆うように設けられ、肩ストラップにより上方に引き上げられる。従って、ホルダーにより、カップ部で上方内側に押し上げられたバストを押さえ、且つ、引き上げることができる。
【０００８】
ここで、ホルダーは土台部の前中心に連結され、土台部はその脇側にバック部が連結されるため、肩ストラップによる上方向への力、バック部による脇方向への力、前中心による前中心方向への力が作用する。これにより、前中心、肩ストラップ、バック部を頂点とした張力を有する三角形の領域が形成されることになる。すなわち、カップ部は、単に肩ストラップによる上方向への力のみで押さえつけられるのではなく、あたかもこの三角形をカップ部の下方からあてるように押さえられ、カップ部を上方内側に十分に押さえつけることが可能となる。このとき、左右のホルダーが土台部の前中心で下方に切り込まれるようにそれぞれ連結し、且つ、カップ部が前中心でそれぞれ接している、すなわち、ホルダーとカップ部と土台部とが前中心に集中している。これにより、バストトップ近傍に作用する力がより強いものになり、バストトップ近傍を特に強く押さえつけることができる。従って、造形するバストが、例えば２０代前半のかたくてハリがあるものであったり、左右が互いに離隔しているものであったりしても、ボリュームを確実に上方内側に移動させ、豊かなバストボリューム感を有する深くて大きな谷間を上胸に形成することが可能となる。
【０００９】
また、カップ部は、ノンワイヤ型であることが好ましい。このように、カップ部がその芯材にワイヤを用いないノンワイヤ型であると、着け心地を楽にでき、自然な装着感を実現することが可能となる。
【００１０】
また、土台部の脇側には、土台部の緊締力よりも強い緊締力を有する緊締部が設けられていることが好ましい。この場合、緊締部が有する強い緊締力により、例えば体の動きによりバストがカップ部よりはみ出てしまう等の着崩れを防止し、カップ部の安定性を高めることが可能となる。
【００１１】
また、土台部の脇側には、着用状態において、上下方向に延びる支持部材が設けられていることが好ましい。この場合、脇部分における安定性を高めると共に、バック部の安定性をも高めることが可能となる。
【発明の効果】
【００１２】
本発明によれば、バストボリュームを確実に移動させることにより、上胸に豊かなバストボリューム感を有しつつ深くて大きな谷間を形成することができるカップ付き女性用衣類を提供することができる。
【発明を実施するための最良の形態】
【００１３】
以下、添付図面を参照して、本発明の好適な実施形態であり、カップ付き女性用衣類の一つであるブラジャーの実施形態について詳細に説明する。なお、図面の説明において同一要素には同一符号を付し、重複する説明を省略する。ちなみに、「上」、「下」等の方向を示す語は、着用時の状態を基準とし、便宜的な語である。
【００１４】
まず、本発明の第１実施形態に係るブラジャーについて、図１〜図４に基づいて説明する。図１は本発明の第１実施形態に係るブラジャーを示す正面図であり、図２は図１のブラジャーの肌側における斜視図であり、図３は図１中のIII−III線に沿った断面図である。図１及び図２に示すように、本実施形態のブラジャー１は、着用者のバストを包む左右一対のカップ部２と、カップ部２に縫着されて連結する土台部３と、左右一対の肩ストラップ４と、を備えている。
【００１５】
カップ部２は、バストの形状にマッチした略椀の形状を呈し、その下縁が着用時にバージスラインに沿うように形成されている。このカップ部２は、通常、上カップ部と下カップ部とから構成され、上カップ部と下カップ部とを縫着することにより、丸みを帯びた円錐形のカップ形状に立体成型されている。なお、カップ部２は、上カップ部と下カップ部とを一体化して熱プレス成型等の手法により構成されたり、下カップ部を更に左右にわけて合計で３枚の布地により構成されたりする場合もある。カップ部２の表側には、着用したときの美感性を高めるため、例えばレース状のカップ表布（不図示）が縫着されている。また、カップ部２には、例えば合成繊維や天然繊維の織布、編布等の素材が用いられる。
【００１６】
左右のカップ部２Ｌ，２Ｒは、前中心Ｃでそれぞれ接して縫着され、左右一体とされている。カップ部２Ｌ，２Ｒには、長手方向の伸縮性が特に高い例えばエキスパンドテープからなるカップ下縁部７がその下縁に沿うように設けられている。このカップ下縁部７は、着用時にバージスラインに沿うように形成されている。具体的には、着用時において、カップ下縁部７における脇側は凸形状に、そして、前中心Ｃ側は略水平に直線状に形成されている。すなわち、左右のカップ部２Ｌ，２Ｒは、着用時に前中心Ｃ側の下端を略水平になるようにして一体とされている。そして、カップ下縁部７は、後述する土台上縁部９に、ワイヤを介することなく直接に縫着されている。このように、カップ部２は、芯材にワイヤを用いないノンワイヤ型であるため、着用時において、着け心地が楽であり、自然な装着感が実現される。
【００１７】
また、カップ部２は、カップ本体より肌側、すなわち着用時に肌に触れる位置に、縫着等により取り付けられた当て布（不図示）を有している。当て布は、例えばコットンのような肌触りや吸湿性の優れた素材の布地からなる素材で形成されている。
【００１８】
土台部３は、伸縮性（特に左右方向の伸縮性）を有する織布や編布等の素材で形成されている。土台部３の上縁には、カップ部２の下縁に沿うように、長手方向に特に伸縮性の高い、例えばバイアステープからなる土台上縁部９が設けられている。土台上縁部９における脇側は、着用時にバージスラインに沿うように、そして、前中心Ｃ側は、略水平に直線状に形成されている。
【００１９】
この土台上縁部９には、カップ下縁部７がワイヤを介することなく、直接に縫着されている。一方、土台部３の下縁には、長手方向に特に伸縮性の高い、例えばストレッチテープからなる下辺始末部１０が設けられ、土台部３の伸縮性と復元性を高められている。ここでの土台上縁部９と下辺始末部１０とは、前中心Ｃ側の略直線状に形成されている部分において一部重なり合っている。また、土台部３には、帯状の伸縮性（特に左右方向の伸縮性）を有するバック布（バック部）１１が脇側に連結されている。バック布１１は、ホック１２を有し、互いに係脱自在にされている。このバック布１１の上縁、及びバック布１１の上縁に続くカップ部２の上縁には、長手方向に特に伸縮性の高い、例えばストレッチテープからなる上辺始末部８が設けられている。
【００２０】
土台部３における脇側部分、換言すると、土台上縁部９と下辺始末部１０とに囲まれた部分には、その素材を二重にしてなる緊締部１３が設けられており、土台部３の緊締力が高められている。これにより、着用状態において、着用者に一層フィットしてカップ部２の安定性が高められ、例えばバストがカップ部２よりはみ出てしまう等の着崩れが防止されている。また、緊締部１３の脇側の両端、すなわち土台部３における脇側端部には、その上縁から下縁にかけて上下方向に延びる支持部材１４がそれぞれ設けられている。支持部材１４は、例えば可撓性を有するボーン部材等で構成され、これにより、着用状態において、脇部分における安定性を高めると共に、バック布１１が肌から浮き上がる等を防止し、バック布１１の安定性が向上されている。
【００２１】
肩ストラップ４は、織布のような布地を紐状に成形、縫製して形成され、カップ部２、後述のホルダー１５、バック布１１の間に架け渡されている。すなわち、肩ストラップ４の一端はカップ部２及びホルダー１５に縫着され連結し、他端はバック布１１に縫着され連結している。この肩ストラップ４に用いられている織布等の素材は、長手方向に伸縮性を有している。また、肩ストラップ４には長さ調整金具４ａが介設され、着用者が肩ストラップ４の長さを適宜に調節できるようにされている。
【００２２】
ところで、ブラジャー１にあっては、図１に示すように、左右一対のホルダー１５を備えている。このホルダー１５は、長手方向に伸縮性が高い帯状の上辺テープ１５ａと、織布や編布等の素材で形成されたホルダー布１５ｂとを有している。上辺テープ１５ａは、その一端が土台部３の土台上縁部９における前中心Ｃに、カップ部２より表側からそれぞれ縫着されている。すなわち、左右のホルダー１５における一端は、土台部３の底辺位置で、前中心Ｃで連結されている。一方、上辺テープ１５ａの他端は、肩ストラップ４に縫着され連結されている。具体的には、上辺テープ１５ａの他端は、着用時に上辺テープ１５ａが前中心Ｃからバストトップ近傍をカップ部２に沿って通るように、換言すると、前中心Ｃからカップ部２の中心から下方脇側にある位置を通るようにカップ部２に沿って延在して、肩ストラップ４に縫着されている。従って、左右のホルダー１５は、土台部３の前中心で下方に切り込まれるように、換言すると、土台部３の前中心で略Ｖ字状にそれぞれ連結することになる。なお、上辺テープ１５ａとしては、例えばエキスパンドテープが挙げられる。
【００２３】
ホルダー布１５ｂは、上辺テープ１５ａと土台部３の土台上縁部９とに囲まれた領域を覆うように、すなわち上辺テープ１５ａよりも下側且つ土台上縁部９より上側の領域を覆うように、上辺テープ１５ａの表側から上辺テープ１５ａに縫着され、土台上縁部９の表側から土台上縁部９に縫着されている。さらに、ホルダー布１５ｂは、バック布１１の上縁から続くカップ部２の上縁に縫着されている。従って、ホルダー１５は、着用時において、着用者のバージスラインからバストトップ近傍に至る部分に対応する領域を、カップ部２の表側から覆うように縫着され、肩ストラップ４により上方に引き上げられることになる。
【００２４】
さらに、ブラジャー１では、図１及び図２に示すように、カップ部２における下カップの肌側の中央部分Ａが厚くなるように、例えば素材を重ねる等して厚く形成されている。換言すると、着用状態において、カップ部２の肌側におけるバストトップの脇側下部に対応する部分が素材を重ねる等して厚くなるように形成されている。すなわち、カップ部２におけるバストトップの脇側下部に対応する部分の肌側は、カップ部２における前中心側及び脇側の肌側よりも厚く形成されている。これにより、中央部分Ａの保形性、復元性、弾力性、弾発性が高いものに形成されている。
【００２５】
この中央部分Ａは、具体的には、カップ部２における下カップの肌側において、その上縁中央から下縁中央にかけた所定の幅を有する部分、換言すると、上縁中央から下縁が脇側に広がるように傾斜した方向に所定の幅を有して延在する部分である。また、中央部分Ａは、曲線に囲まれてなる部分であり、その下側が斜め下方に凸状となっている。なお、ここでの所定の幅としては、下カップの長手方向における長さの１／３〜１／２程度としている。
【００２６】
また、カップ部２は、図３に示すように、着用状態に着用者の視線でカップ部２を見たような断面において、前中心付近（図３の下側）が薄くカップ部２に沿った曲線状を呈しており、そして、カップ部２の中央付近、すなわちカップ部２における最も表側に突出した付近が肌側に膨らんで平面的に厚くなり、カップ部２の脇付近（図３の上側）が薄くカップ部２に沿った曲線状となっている。
【００２７】
このブラジャー１を着用した場合、図４に示すように、カップ部２におけるバストトップ３１の下方脇側に対応する部分Ａが、厚く且つ保形状に形成されているため、バストトップ３１の脇側下部を強く押さえてバスト３０を上方内側に効果的に押し上げ、バストボリュームを上方内側に移動させる。そして、ホルダー１５が、バージスライン３２の下部からバストトップ３１近傍に至る領域をカップ部２の表側から覆うように縫着されているため、連結された肩ストラップ４により引き上げられることにより、カップ部２で上方内側に押し上げられたバスト３０を押さえ、支え、且つ、引き上げる。すなわち、カップ部２と相乗効果を奏して、バスト３０を上内方向に押し上げて谷間を形成する。
【００２８】
このとき、ブラジャー１には、肩ストラップ４によりバスト３０を支える上方向への力Ｆ１が作用している。これに加え、ホルダー１５が土台部３の前中心Ｃに連結されると共に肩ストラップ４に連結され、土台部３の脇側にはバック布１１が連結されるため、バック布１１による脇方向への力Ｆ２、及び土台部３の前中心Ｃによる前中心方向への力Ｆ３が作用している。すなわち、前中心Ｃ、バック布１１、肩ストラップ４を頂点とした張力を有する三角形Ｔの領域が形成されることになる。従って、カップ部２は、単に肩ストラップ４による上方向への力Ｆ１により押さえつけられるのではなく、あたかも三角形Ｔをバスト３０の下方からあてるように、換言すると、三角形Ｔでバスト３０を内側に挟むように押さえつけられる。よって、カップ部２を上方内側に十分に押さえつけることが可能となる。
【００２９】
さらに、ホルダー１５が土台部３の前中心Ｃに連結し、且つ、カップ部２が前中心Ｃでそれぞれ接している、具体的には、ホルダー１５とカップ部２と土台部３とが土台部３の前中心Ｃの底辺で一体化している。すなわち、ホルダー１５とカップ部２と土台部３とが前中心Ｃに集中し、この前中心Ｃ位置に力が集中している。従って、上述のようにバスト３０が上方内側に押し上げつつ押さえつけた際、バストトップ３１近傍に作用する力がより強いものになり、バストトップ３１近傍を一層強く押さえつけることができる。加えて、これらが前中心Ｃで一体化して集中し、この前中心Ｃ位置に力が集中していることにより、前中心Ｃを基点としたバスト３０を内側に寄せる回転力が作用し、バストボリュームを内側に一層移動させることができる。
【００３０】
以上このように、ブラジャー１では、例えば２０代前半のかたくてハリがあるバストや、左右が互いに離隔しているバストを造形する場合であっても、最も効果的にバストを押し上げ、押し上げたバストを十分に押さえつけることができる。すなわち、ボリュームを確実に上方内側に移動させ、豊かなバストボリューム感を有する深くて大きな谷間を上胸に形成することが可能となる。従って、一般的なデコルテ型のブラジャーよりも、上胸の膨らみを得ることができ、そこに深いすじとなる美麗な谷間が形成されることになる。
【００３１】
さらに、ブラジャー１は、ノンワイヤ型であることより、着用時において豊かなバストボリューム感を有しつつも締め付け感の低減（苦しくない）が実現され、カップ部２を違和感なく肌にフィットさせることが可能となる。すなわち、ブラジャー１は、カップ部２とホルダー１５との相乗効果でバストを上方内側に押し上げて谷間ができるような自然な着用感のノンワイヤ型のブラジャーである。
【００３２】
また、カップ部が前中心に寄っている場合、バスト造形時にカップ部の上辺が肌から離隔してしまう、いわゆるカップの浮きが生じやすいが、ブラジャー１は、カップ部２が前中心Ｃで接していると共に、カップ部２の中央におけるバストトップの下方脇側に対応する中央部分Ａを厚く形成してバストを上方内側に押し上げているため、このカップの浮きについても防止することができる。
【００３３】
なお、本実施形態では、例えばエキスパンドテープ等のテープ材がブラジャーを構成する各部を連結する部分、又は各部の縁部に使用されている。これにより、布のほつれを防止し縫い目が強化される。また、カップ部２では、このテープ材は、カップの形状を形成するフレームとしても機能する。
【００３４】
次に、本発明の第２実施形態に係るブラジャーについて図５を参照して説明する。図５は、本発明の第２実施形態に係るブラジャーを示す正面図である。本実施形態のブラジャー２０が、上記実施形態のブラジャー１と異なる点は、カップ部２に代えて、左右のカップ部が、所定の距離だけ離れて土台部３に縫着されているカップ部２２を用いた点である。
【００３５】
このブラジャー２０においても、ホルダー１５とカップ部２２Ｌ，２２Ｒと土台部３とが前中心Ｃに実質的に集中しており、上記実施形態と同様の効果、すなわち、ボリュームを確実に上方内側に移動させ、豊かなバストボリューム感を有する深くて大きな谷間を上胸に形成するという効果を奏する。
【００３６】
以上、説明したブラジャー１に関し、その着用感を従来のブラジャーと比較したテストの結果、ブラジャー１の評価が高いことが判り、豊かなバストボリューム感を有する深くて大きな谷間を上胸に形成するという効果、及び着け心地が楽であり自然な装着感が得られるという効果を確認することができた。さらに、ブラジャー１にあっては、谷間のスジがくっきりしている、内胸にボリュームが出ている、バストのアップがしっかりしている、との評価も得ることができた。
【００３７】
すなわち、ブラジャー１は、カップ部２の外観が平面的であるため、バストを造形しない印象を与える場合があるが、着用時においては、ワイヤを有する一般的なブラジャーよりもバストを造形してくっきりとした谷間を形成することが可能であり、さらに自然にフィットするため評価が非常に高いことが判った。
【００３８】
以上、本発明の好適な実施形態について説明したが、本発明は上記実施形態に限定されるものではない。
【００３９】
例えば、上記実施形態では、カップ部２における下カップは、その肌側の中央部分Ａが厚くなるように、例えば素材を重ねる等して形成されているが、別途他の素材を重ねて形成してもよく、バストトップの脇側下部に対応する部分がカップ部における他の部分よりも厚くなるように形成され、且つ、保形性を有していればよい。
【００４０】
また、上記実施形態では、好ましいとしてホルダー１５における上辺テープ１５ａの他端と肩ストラップ４とが縫着され連結されているが、上辺テープは肩ストラップに縫着されずに例えばカップ部２の上側に逢着されていてもよく、着用時に肩ストラップによりホルダーが引き上げられればよい。
【００４１】
また、緊締部１３は、素材を２重にすることによりその緊締力が高められているが、別途他の素材を重ねて緊締力を高めてもよく、例えば着崩れの心配が無い場合には、緊締部１３は無くともよい。
【００４２】
また、上記実施形態では、その長手方向に伸縮力を有するエキスパンドテープ等が用いられているが、種々のテープ材を用いても勿論よい。
【００４３】
さらにまた、カップ付き女性用衣類としては、ブラジャーの他にブラスリップ、ブラキャミソール、ボディスーツ等のファンデーション衣類の他、水着やレオタード等が挙げられる。
【図面の簡単な説明】
【００４４】
【図１】本発明の第１実施形態に係るブラジャーの表側を示す正面図である。
【図２】図１に示すブラジャーの肌側を示す背面図である。
【図３】図１中のIII−III線に沿った断面図である。
【図４】図１に示すブラジャーの作用を説明する図である。
【図５】本発明の第２実施形態に係るブラジャーの表側を示す正面図である。
【符号の説明】
【００４５】
１，２０…ブラジャー（カップ付き女性用衣類）、２，２Ｌ，２Ｒ，２２…カップ部、３…土台部、４…肩ストラップ、１１…バック布（バック部）、１３…緊締部、１４…支持部材、１５…ホルダー、３０…バスト、３１…バストトップ、３２…バージスライン、Ｃ…前中心。
【図１】
0004674178.tif 000002
【図２】
0004674178.tif 000003
【図３】
0004674178.tif 000004
【図４】
0004674178.tif 000005
【図５】
0004674178.tif 000006